(57)【要約】【課題】電話呼接続制御装置から第１の通信端末および第２の通信端末への電話呼接続を制御することで、第１の通信端末と第２の通信端末間の電話呼接続を確立する電話呼接続システムを提供する。【解決手段】移動通信端末である第１の通信端末が、第２の通信端末への電話呼接続要請をインターネットを経由して電話呼接続制御装置へ送信し、第１および第２の加入者線によって電話交換機に接続されている電話呼接続制御装置は電話呼接続要請を受信すると、第１の通信端末への第１の電話呼、および第２の通信端末への第２の電話呼を発呼し、電話交換機は、第２の加入者線の電話番号と対応して管理する第１の通信端末の電話番号を第２の通信端末に送信し、第２の通信端末は第１の通信端末の電話番号を表示し、電話呼接続制御装置は、第１の電話呼および第２の電話呼の応答信号を受信すると、第１および第２の加入者線を接続して第１の通信端末と第２の通信端末との間の通話路を形成する。【選択図】図３
2017085503.tif 000002
【特許請求の範囲】
【請求項１】
それぞれが電話番号を有する第１の通信端末と第２の通信端末との間の通話路を、電話交換網内の電話交換機を介して接続する電話呼接続システムであって、
前記第１の通信端末は移動通信端末であり、
前記第１の通信端末は、インターネット等の前記電話交換網以外の通信網を介して電話呼接続制御装置へ、前記第１の通信端末と前記第２の通信端末との間で通話路接続するための電話呼接続要請を送信する送信機能を備え、
前記電話呼接続制御装置は、
それぞれが電話番号を有する第１および第２の加入者線を介して第１の電話交換機に接続され、
前記電話呼接続要請を受信すると、前記第１の加入者線を発信側通信端末とし前記第１の通信端末を着信側通信端末とする第１の電話呼と、前記第２の加入者線を発信側通信端末とし前記第２の通信端末を着信側通信端末とする第２の電話呼と、を接続するための呼設定信号を前記第１の電話交換機に送信する呼設定信号送信機能を備え、
前記第１の電話交換機は、
前記第２の加入者線の電話番号と前記第１の通信端末の電話番号とを対応付けて管理する電話番号管理機能を備え、
前記第２の通信端末が加入者線接続される第２の電話交換機に対して前記第２の電話呼を通知する信号内に、前記第１の通信端末の電話番号を含め、
前記電話呼接続制御装置は、前記第１の通信端末および前記第２の通信端末のそれぞれが前記第１の電話呼および前記第２の電話呼に応答する応答信号を、前記第１の電話交換機から受信した場合に、前記第１の電話呼および前記第２の電話呼の加入者線を接続して前記第１の通信端末と前記第２の通信端末との間の通話路を形成する電話交換機能を備えることを特徴とする電話呼接続システム。
【請求項２】
それぞれが電話番号を有する第１の通信端末と第２の通信端末との間の通話路接続を要請する前記第１の通信端末からの電話呼接続要請に基づいて、電話呼接続する電話呼接続方法であって、
移動通信端末である前記第１の通信端末が、インターネット等の電話交換網以外の通信網を介して電話呼接続制御装置へ前記電話呼接続要請を送信し、
それぞれが電話番号を有する第１および第２の加入者線によって第１の電話交換機に接続されている前記電話呼接続制御装置は、前記電話呼接続要請を受信すると、前記第１の加入者線を発信側通信端末とし前記第１の通信端末を着信側通信端末とする第１の電話呼、および前記第２の加入者線を発信側通信端末とし前記第２の通信端末を着信側通信端末とする第２の電話呼を発呼するための呼設定信号を前記第１の電話交換機に送信し、
前記第１の電話交換機の電話番号管理機能は、
前記第２の加入者線の電話番号と前記第１の通信端末の電話番号とを対応付けて管理し、
前記第２の通信端末が加入者端末である第２の電話交換機に、前記第１の通信端末の電話番号を第２の電話呼を通知する信号内に含めて送信し、
前記電話呼接続制御装置は、前記第１の通信端末および前記第２の通信端末のそれぞれが、前記第１の電話呼および前記第２の電話呼それぞれの前記呼設定信号に応答する応答信号を前記第１の電話交換機から受信した場合に、前記第１および前記第２の加入者線を接続して前記第１の通信端末と前記第２の通信端末との間の通話路を形成することを特徴とする電話呼接続方法。
【発明の詳細な説明】
【技術分野】
【０００１】
本発明は移動通信端末の電話呼の接続システムに関する。
【背景技術】
【０００２】
移動通信端末はインターネットに接続されるデータ通信端末機能と共に、移動通信端末あるいは一般の固定電話機への電話呼接続が可能な電話端末機能を備える。
【０００３】
移動体通信事業者が、インターネットへの接続機能および電話呼接続機能、等の通信接続サービスを、移動通信端末を所有する加入者に提供する。
【０００４】
近年、仮想移動体通信事業者（MVNO : Mobile Virtual Network Operator）と呼ばれる新たな通信サービスのビジネスが注目されている。仮想移動体通信事業者は、既存の通信事業者、特に既存の移動体通信事業者から移動体通信接続サービスを提供するための通信網設備を借りて、加入者に通信接続サービスを提供する。仮想移動体通信事業者が加入者に電話呼接続サービスを提供する場合には、既存の通信事業者から移動体通信用電話交換設備を借りて電話呼接続サービスを提供することになる（例えば、特許文献１、非特許文献１参照）。
【０００５】
または、仮想移動体通信事業者が、既存の通信事業者からインターネットに接続可能なデータ通信設備を借り、電話呼接続サービスはインターネット上の電話呼接続のためのプロトコルであるＳＩＰプロトコルを用いてＩＰ電話サービスを提供する（例えば、特許文献２参照）。
【先行技術文献】
【特許文献】
【０００６】
【特許文献１】特開２００５−４５３２４号公報
【特許文献２】特開２００６−３４０２６７号公報
【非特許文献】
【０００７】
【非特許文献１】ＭＶＮＯに係る電気通信事業法及び電波法の適用関係に関するガイドライン  平成２５年９月  総務省総合通信基盤局
【発明の概要】
【発明が解決しようとする課題】
【０００８】
特許文献１および非特許文献１に記載されているように、仮想移動体通信事業者が既存の通信事業者から移動体通信用電話交換設備を借りて電話呼接続サービスを提供する場合には、仮想移動体通信事業者が加入者に提供可能な電話料金は、既存の移動体通信事業者から必要な移動体通信用電話交換設備を借りることもあり、既存の移動体通信事業者が提供する電話料金と大きく異なる電話料金設定は困難となる。
【０００９】
特に、移動体通信用電話交換設備は、固定電話用電話交換設備と比較して、移動通信端末がどの基地局エリアで通信可能かを示す信号の送受信および制御等の機能が必要なため、高価格となる。このため、既存の移動体通信事業者の電話料金、すなわち、移動通信端末間での電話料金、移動通信端末から固定電話網の電話端末への電話料金、および固定電話網の電話端末から移動通信端末への電話料金は、固定電話端末から固定電話端末へ着信する場合の電話料金より高い電話料金が設定されている。仮想移動体通信事業者が既存の通信事業者から移動体通信用電話交換設備を借りる場合の電話料金も、既存の移動体通信
事業者と同様に、固定電話端末から固定電話端末へ着信する場合の電話料金より高い電話料金設定をせざるを得ないという課題がある。
【００１０】
仮想移動体通信事業者が加入者に電話呼接続サービスを提供するための他の方法としては、仮想移動体通信事業者が既存の通信事業者からインターネットに接続可能なデータ通信設備を借り、特許文献２に記載されているように、インターネット上での電話呼接続プロトコルであるＳＩＰプロトコルを用いてＩＰ電話サービスを提供する方法がある。ＩＰ電話サービスでは移動体通信用電話交換機が不要となるため、既存の通信事業者から移動体通信用電話交換機を借りて移動通信端末用電話呼接続を提供する場合より、低料金でのサービス提供が可能となる。
【００１１】
しかし、ＩＰ電話サービスはインターネットを経由して電話呼接続を行う仕組みであり、インターネットは所定の通信速度が必ず保証される通信ではなく、インターネットが輻輳状態の際には、通信速度が低下する仕組みである。このため、ＩＰ電話サービスはインターネットでの輻輳状態の際には、通信速度が低下し、音声通信品質が劣化するという課題がある。
【００１２】
これに対して、既存の通信事業者から移動体通信用電話交換設備を借りて電話呼接続を行う構成は、発信側移動通信端末と着信側通信端末との間で、通信速度が保証された通話路を確保して電話呼接続する仕組みであり、このため、この電話呼接続サービスでは、所定の音声通信品質が維持される。
【００１３】
このように、仮想移動体通信事業者が既存の移動体通信事業者から移動体通信用電話交換設備を借りて電話呼接続サービスを提供する方法は、所定の音声通信品質が維持されるが、固定電話端末における電話料金と比較して電話料金は高料金という既存の移動体通信事業者と同様の料金設定をせざるを得ない、という課題がある。また、仮想移動体通信事業者がＩＰ電話機能を用いて電話呼接続サービスを提供する方法は、既存の通信事業者から移動体通信用電話設備を借りて電話呼接続する場合と比較して低い電話料金に設定することが可能だが、既存の移動体通信事業者と同等の通話品質を加入者に提供できないという課題がある。
【００１４】
本発明は、仮想移動体通信事業者が電話呼接続サービスを加入者に提供する際の前述の２つの課題を解決する、移動通信端末から電話呼接続するための新たな電話呼接続システムを提供することを目的としている。
【課題を解決するための手段】
【００１５】
本発明は、それぞれが電話番号を有する第１の通信端末と第２の通信端末との間の通話路を、電話交換網内の電話交換機を介して接続する電話呼接続システムであって、第１の通信端末は移動通信端末であり、第１の通信端末は、インターネット等の電話交換網以外の通信網を介して電話呼接続制御装置へ、第１の通信端末と第２の通信端末との間で通話路接続するための電話呼接続要請を送信する送信機能を備え、電話呼接続制御装置は、それぞれが電話番号を有する第１および第２の加入者線を介して第１の電話交換機に接続され、電話呼接続要請を受信すると、第１の加入者線を発信側通信端末とし第１の通信端末を着信側通信端末とする第１の電話呼と、第２の加入者線を発信側通信端末とし第２の通信端末を着信側通信端末とする第２の電話呼と、を接続するための呼設定信号を第１の電話交換機に送信する呼設定信号送信機能を備え、第１の電話交換機は、第２の加入者線の電話番号と第１の通信端末の電話番号とを対応付けて管理する電話番号管理機能を備え、第２の通信端末が加入者線接続される第２の電話交換機に対して第２の電話呼を通知する信号内に、第１の通信端末の電話番号を含め、電話呼接続制御装置は、第１の通信端末および第２の通信端末のそれぞれが第１の電話呼および第２の電話呼に応答する応答信号を
、第１の電話交換機から受信した場合に、第１の電話呼および第２の電話呼の加入者線を接続して第１の通信端末と第２の通信端末との間の通話路を形成する電話交換機能を備えるように構成されている。
【００１６】
本発明は、それぞれが電話番号を有する第１の通信端末と第２の通信端末との間の通話路接続を要請する第１の通信端末からの電話呼接続要請に基づいて、電話呼接続する電話呼接続方法であって、移動通信端末である第１の通信端末が、インターネット等の電話交換網以外の通信網を介して電話呼接続制御装置へ電話呼接続要請を送信し、それぞれが電話番号を有する第１および第２の加入者線によって第１の電話交換機に接続されている電話呼接続制御装置は、電話呼接続要請を受信すると、第１の加入者線を発信側通信端末とし第１の通信端末を着信側通信端末とする第１の電話呼、および第２の加入者線を発信側通信端末とし第２の通信端末を着信側通信端末とする第２の電話呼を発呼するための呼設定信号を第１の電話交換機に送信し、第１の電話交換機の電話番号管理機能は、第２の加入者線の電話番号と第１の通信端末の電話番号とを対応付けて管理し、第２の通信端末が加入者端末である第２の電話交換機に、第１の通信端末の電話番号を第２の電話呼を通知する信号内に含めて送信し、電話呼接続制御装置は、第１の通信端末および第２の通信端末のそれぞれが、第１の電話呼および第２の電話呼それぞれの呼設定信号に応答する応答信号を第１の電話交換機から受信した場合に、第１および前記第２の加入者線を接続して第１の通信端末と第２の通信端末との間の通話路を形成するように動作する。
【発明の効果】
【００１７】
本発明によれば、移動通信端末である第１の通信端末からの第１の通信端末と第２の通信端末との間での電話呼接続を要請する電話呼接続要請に基づいて、電話呼接続制御装置が発信側通信端末となる第１および第２の電話呼の通話路が確立され、その後、第１および第２の電話呼の通話路が接続されて第１の通信端末と第２の通信端末との間の通話路となる。ここで、第１の電話呼および第２の電話呼は仮想移動体通信事業者が固定網の第１の電話交換機へ発信して第１の通信端末および第２の通信端末へ接続する電話呼接続であり、第１の電話呼および第２の電話呼は事業者間の電話呼接続となり、加入者が行う電話呼接続より低い電話料金となる。このため、本発明による電話呼接続システムを用いる仮想移動体通信事業者は、既存の移動体通信事業者による電話料金とは異なる、新たな電話料金の通信サービスを加入者に提供できる。
【図面の簡単な説明】
【００１８】
【図１】既存移動体通信事業者における電話呼接続の説明図である。
【図２】既存移動体通信事業者における電話呼接続における信号シーケンス図である。
【図３】本発明の電話呼接続の説明図である。
【図４】本発明の電話呼接続のフローチャートである。
【図５】本発明の電話呼接続における信号シーケンス図である。
【図６】本発明の電話呼接続における信号シーケンス図である。
【発明を実施するための形態】
【００１９】
（既存の移動体通信事業者が提供する電話呼接続）
既存の移動体通信事業者の移動通信端末である発信側通信端末から固定電話機である着信側通信端末への電話呼接続を、図１を用いて説明する。図１において、通信端末１は電話番号Ａ（例えば、０９０−ＡＡＡＡ−ａａａａ）である。通信端末１は移動体通信事業者の移動体通信網３内に設置された電話交換機３１に、図示されていない基地局を経由して接続される。固定電話通信事業者が運用する固定電話網４内には電話交換機４１が設置される。電話交換機３１と電話交換機４１とは局間接続インタフェースによって接続される。電話交換機４１の加入者線には電話番号Ｂ（例えば、０６−ＢＢＢＢ−ｂｂｂｂ）の
通信端末２が接続されている。
【００２０】
図２は、発信側通信端末１、発信側電話交換機３１および着信側電話交換機４１、着信側通信端末２の間で電話呼接続を行うための信号シーケンスを示す。
【００２１】
移動通信端末１である発信側通信端末１が着信側通信端末２と電話呼接続する場合には、通信端末１において、電話番号Ｂ（０６−ＢＢＢＢ−ｂｂｂｂ）をダイヤルする。発信側通信端末１からＳＥＴＵＰ信号が発信側電話交換機３１に送信される。呼設定信号であるＳＥＴＵＰ信号は着信側通信端末２の電話番号Ｂを含む。電話交換機３１はＳＥＴＵＰ信号を受信すると、呼設定信号を受信したことを意味するＣＡＬＬ  ＰＲＯＣ信号を発信側通信端末１に返すとともに、着信側電話交換機４１にＩＡＭ信号を送る。ＩＡＭ信号は発信側通信端末１の電話番号Ａ（例えば、０９０−ＡＡＡＡ−ａａａａ）と着信側通信端末の電話番号を含む。着信側電話交換機４１は着信側通信端末２が空き状態であれば、着信側通信端末２にＳＥＴＵＰ信号を送信する。このＳＥＴＵＰ信号には発信側通信端末１の電話番号Ａが含まれる。
【００２２】
ここで、着信側通信端末２が発呼者の電話番号を表示する機能を有している場合には、発信側通信端末１の電話番号Ａ（０９０−ＡＡＡＡ−ａａａａ）を表示する。着信側通信端末２の加入者は表示された電話番号Ａを見て、着信電話呼への応答を判断する。
【００２３】
着信側通信端末２はＳＥＴＵＰ信号を受信すると、着信側通信端末を呼び出し中であることを示すＡＬＥＲＴ信号を着信側交換機４１に送信する。ＡＬＥＲＴ信号は着信側電話交換機４１、発信側電話交換機３１を介して、発信側通信端末１に送信される。それと共に、発信側通信端末１から着信側通信端末２に至る通話路が確保される。着信側通信端末２が応答すると、応答したことを示すＣＯＮＮ信号が着信側交換機４１に送信され、着信側交換機４１は発信側交換機３１に着信側端末が応答したことを示すＡＮＭ信号を送信し、発信側交換機３１は発信側通信端末１にＣＯＮＮ信号を送信し、同時に発信側通信端末１から着信側通信端末２に至る通話路が確立される。
【００２４】
電話が終了すると、発信側通信端末１と着信側通信端末２との間の通話路は、発信側通信端末１または着信側通信端末２のどちらかが切断動作を開始することで切断される（図２の信号シーケンス図では通話路を切断する信号シーケンスを省略する）。例えば、着信側通信端末２が受話器を電話機に戻すオンフック動作を行うと、着信側通信端末２から着信側電話交換機４１へ着信側通信端末２が切断したことを示すＤＩＳＣ信号が送信され、以下、着信側電話交換機４１と発信側電話交換機３１との間、発信側電話交換機３１と発信側通信端末１との間、で切断を示す信号が送信され、通話路が切断される。
【００２５】
以上、図１および図２を用いて移動通信端末である発信側通信端末１から固定電話機である着信側通信端末２への電話呼接続を説明した。ここで、着信側通信端末が移動通信端末である場合の電話呼接続も、着信側電話交換機が移動体通信網内の電話交換機となる点を除いて、図１および図２を用いて説明した電話呼接続と同様の信号を送受信して行なわれる。
【００２６】
なお、前述の通信端末と電話交換機間のＳＥＴＵＰ信号、ＣＡＬＬ  ＰＲＯＣ信号、ＡＬＥＲＴ信号、ＣＯＮＮ信号は、電話交換機の加入者線で使用される加入者線信号であり、発信側電話交換機と着信側電話交換機間のＩＡＭ信号、ＡＬＥＲＴ信号、ＡＮＭ信号は局間信号（共通線信号方式の信号）である。
【００２７】
（本発明の実施形態１）
次に、図３を用いて、本発明の電話呼接続の実施形態として、仮想移動体通信事業者の
加入者である通信端末１から発呼して通信端末２に着信する電話呼接続の実施形態１を説明する。
【００２８】
通信端末１は仮想移動体通信事業者の加入者端末であり、電話番号はＡ（例えば、０９０−ＡＡＡＡ−ａａａａ）である。電話呼接続制御装置７は仮想移動体通信事業者の新たな電話呼接続を実現するための装置であり、電話呼接続制御装置７のサーバ機能７は通信端末１からの電話呼接続要請を、インターネット６を介して受け付ける。電話呼接続制御装置７の電話交換機能７２は、電話交換機４２と連携して仮想移動体通信事業者の加入者端末である通信端末１へ接続される電話呼５１と、通信端末２へ接続される電話呼５２との電話呼接続を開始する。ここで電話呼５２において、電話呼接続制御装置７の加入者線の電話番号は電話番号Ｃ（例えば、０３−ＣＣＣＣ−ｃｃｃｃ）であるが、着信側通信端末２には発信側通信端末の電話番号として電話番号Ａ（０９０−ＡＡＡＡ−ａａａａ）が表示される。通信端末１および通信端末２のそれぞれが電話呼５１および電話呼５２に応答すると、電話呼５１および電話呼５２を電話呼５３で接続して通信端末１と通信端末２との間の電話呼の通話路を接続する。このように、本実施形態１の通信端末１と通信端末２との間の電話呼接続は、既存の通信事業者による電話呼接続とは異なる。
【００２９】
なお、電話交換機４２は電話呼接続制御装置と連携して、仮想移動体通信事業者のための新たな電話呼接続システムを提供する。このために、電話呼接続制御装置７は電話交換機４２の加入者線に接続され、通信端末１の電話番号Ａ（０９０−ＡＡＡＡ−ａａａａ）と対応付けて管理される電話番号Ｃ（０３−ＣＣＣＣ−ｃｃｃｃ）を有する。仮想移動体通信事業者に加入する移動通信端末が複数個である場合には、複数個の移動通信端末の電話番号のそれぞれが電話呼接続制御装置の加入者線の電話番号と対応付けて管理される。電話交換機４２はこのように通信端末１の電話番号Ａと、電話呼接続制御装置の電話番号Ｃとを対応付けて管理する電話番号管理機能を備える。
【００３０】
電話交換機４２は固定電話網を運用する通信事業者に属する。電話呼接続制御装置７は、仮想移動体通信事業者が自らの設備として保有しても良いし、電話交換機４２を運用する固定電話網の通信事業者が設備として保有し、仮想移動体通信事業者に貸し出しても良い。
【００３１】
以下において、本発明の実施形態１による電話呼接続の詳細な電話呼接続動作を説明する。図３において、通信端末１は移動通信端末である。移動通信端末はインターネットに接続されるデータ通信端末機能と共に、他の移動通信端末または固定電話機への電話呼接続が可能な電話端末機能を備えている。通信端末１は移動体通信事業者の移動体通信網３に図示しない基地局を経由して接続される。通信端末１はデータ通信機能を用いてインターネット６を経由してインターネット接続が可能である。通信端末１の電話端末機能は移動体通信網内の電話交換機３１に接続が可能である。
【００３２】
電話呼接続制御装置７は、本発明の実施形態で実現可能となる新たな電話呼接続システムを提供する機能を有する。電話呼接続制御装置７内のサーバ機能７１はインターネット６と接続され、電話呼接続制御装置７内の電話交換機能７２は固定電話網４内の電話交換機４２と加入者線を介して接続される。
【００３３】
固定電話網４と移動体通信網３との間には電話呼の通話路が接続される。さらに、固定電話網４には電話交換機４１が設置される。電話交換機４１は加入者線を介して通信端末２と接続される。
【００３４】
移動通信端末である通信端末１から発呼し、通信端末２に着信する電話呼接続を説明する。通信端末１の電話番号を電話番号Ａ（例えば、０９０−ＡＡＡＡ−ａａａａ）とし、
通信端末２の電話番号を電話番号Ｂ（例えば、０６−ＢＢＢＢ−ｂｂｂｂ）とする。
【００３５】
発信側通信端末１の加入者は、発信側通信端末１のデータ通信端末機能から、移動体通信網３、インターネット６を経由するインターネット接続によって、電話呼接続制御装置７のサーバ機能７１にアクセスする。例えば、図５および図６において、発信側通信端末１から電話呼接続制御装置７のサーバ機能７１のＵＲＬを入力することで、サーバ機能７１にアクセスする。なお、図５および図６ではｈｔｔｐプロトコルを用いて、発信側通信端末１から電話呼接続制御装置７のサーバ機能７１へのアクセスする例を図示しているが、ｈｔｔｐプロトコルに限定するものではない。例えば、インターネット上で使用されるｈｔｔｐｓ、ｔｅｌｎｅｔ、ＳＩＰ、ＳＭＴＰ、等の各種プロトコルを用いて発信側通信端末１から電話呼接続制御装置７のサーバ機能７１へアクセスして電話呼接続要請を送信することも可能である。
【００３６】
発信側通信端末１とサーバ機能７１とが接続されると、発信側通信端末１はサーバ機能７１の電話呼接続要請の画面にログインする（図４のステップ１０、図５および図６のログイン画面を参照）。続いて、発信側通信端末１から、例えば、パスワードを入力すると、サーバ機能７１は発信側通信端末１に番号投入画面を表示する。発信側通信端末１から発信側通信端末１の電話番号Ａ（０９０−ＡＡＡＡ−ａａａａ）および着信側通信端末２の電話番号Ｂ（０６−ＢＢＢＢ−ｂｂｂｂ）を入力する（図４のステップ２０および図５参照）。
【００３７】
なお、発信側通信端末１はスマートフォン等の移動通信端末であり、スマートフォン用のアプリケーションソフトウェアを用いて、サーバ機能７１へのインターネットアクセス、ログイン画面でのパスワード投入、発信側通信端末の電話番号Ａの投入が自動的に行なわれるようにし、着信側通信端末２の電話番号を発信側通信端末１の加入者が入力するようにすることが可能である。
【００３８】
サーバ機能７１が電話呼接続要請を受け付けると、電話呼接続制御装置７の電話交換機能７２が、固定電話網４内の電話交換機４２に対して、２つの電話呼の発呼動作を行う。電話呼接続制御装置７の電話交換機能７２は電話交換機４２に複数の固定電話の加入者線で接続される。２つの電話呼の１つは電話交換機能７２から発呼して通信端末１を着信側通信端末とする電話呼５１であり、他の１つは電話交換機能７２から発呼して通信端末２を着信側通信端末とする電話呼５２である（図４のステップ３０）。
【００３９】
図５は電話呼５１の発呼に関連する信号シーケンスを示す。電話呼接続制御装置７の電話交換機能７２から電話交換機４２に対してＳＥＴＵＰ信号５１が、電話交換機４２から移動体通信網の電話交換機３１に対してＩＡＭ信号５１が、電話交換機３１から通信端末１に対してＳＥＴＵＰ信号５１が送信される。続いて、通信端末１が呼び出し中であることを示すＡＬＥＲＴ信号５１が通信端末１から電話交換機３１、電話交換機３１から電話交換機４２、電話交換機４２から電話呼接続制御装置７に対して送信される。通信端末１がこの電話呼５１の呼び出しに応答すると、通信端末１から電話交換機３１に対してＣＯＮＮ信号５１が、電話交換機３１から電話交換機４２に対してＡＮＭ信号５１が、電話交換機４２から電話呼接続制御装置７に対してＣＯＮＮ信号５１が送信される。これによって、電話呼接続制御装置７が発信側となり通信端末１が着信側となる電話呼５１の通話路５１が確立される。
【００４０】
図６は電話呼５２の発呼に関連する信号シーケンスを示す。電話呼接続制御装置７の電話交換機能７２から電話交換機４２に対してＳＥＴＵＰ信号５２が、電話交換機４２から電話交換機４１に対してＩＡＭ信号５２が、電話交換機４１から通信端末２に対してＳＥＴＵＰ信号５２が送信される。続いて、通信端末２が呼び出し中であることを示すＡＬＥ
ＲＴ信号５２が通信端末２から電話交換機４１、電話交換機４１から電話交換機４２、電話交換機４２から電話呼接続制御装置７に対して送信される。通信端末２がこの電話呼５２の呼び出しに応答すると、通信端末２から電話交換機４１に対してＣＯＮＮ信号５２が、電話交換機４１から電話交換機４２に対してＡＮＭ信号５２が、電話交換機４２から電話呼接続制御装置７に対してＣＯＮＮ信号５２が送信される。これによって、電話呼接続制御装置７が発信側となり通信端末２が着信側となる電話呼５２の通話路５２が確立される。
【００４１】
ここで、電話交換機４２の電話番号管理機能は、本発明の実施形態での新たな電話呼接続システムを提供するために、電話呼接続制御装置７と連携して電話番号を管理する。すなわち、電話交換機４２は電話番号Ｃの電話局番号ＣＣＣＣに相当する加入者を収容する電話交換機であり、電話呼接続制御装置７は電話番号Ｃ（例えば、０３−ＣＣＣＣ−ｃｃｃｃ）を有する。電話交換機４２の電話番号管理装置は、この電話番号Ｃ（０３−ＣＣＣＣ−ｃｃｃｃ）と１つまたは複数の通信端末１の電話番号と、を対応付けて管理する。電話呼５２の通話路を接続するために、電話交換機４２から電話交換機４１に送信されるＩＡＭ信号において、発信側通信端末の電話番号Ｃ（０３−ＣＣＣＣ−ｃｃｃｃ）と共に、電話番号Ｃ（０３−ＣＣＣＣ−ｃｃｃｃ）と対応する電話番号Ａ（０９０−ＡＡＡＡ−ａａａａ）を局間信号方式の信号であるＩＡＭ信号５２に含める。
【００４２】
具体的には、電話交換機４２から電話交換機４１間の局間信号であるＩＡＭ信号５２は汎用番号フィールドを有する。このＩＡＭ信号５２において電話交換機４２は、発信側通信端末の電話番号を電話番号Ｃ（０３−ＣＣＣＣ−ｃｃｃｃ）とし、ＩＡＭ信号の汎用番号フィールドに電話番号Ａ（０９０−ＡＡＡＡ−ａａａａ）を含める。
【００４３】
電話交換機４１は電話交換機４２からのＩＡＭ信号５２を受信すると、電話交換機４１の加入者である着信側通信端末に、電話呼５２の着信があることを通知するＳＥＴＵＰ信号５２を送信する。ＳＥＴＵＰ信号５２の発信側通信端末の電話番号を示す領域には、ＩＡＭ信号５２の汎用番号フィールドに含まれていた電話番号Ａ（０９０−ＡＡＡＡ−ａａａａ）が表示される。
【００４４】
このため、着信側通信端末２が発信側通信端末の電話番号を表示する機能を有している場合には、着信側通信端末２では発信側通信端末の電話番号として、電話番号Ａ（０９０−ＡＡＡＡ−ａａａａ）が表示される。着信側通信端末２の加入者は表示された電話番号Ａ（０９０−ＡＡＡＡ−ａａａａ）を見て、着信してきた電話への応答を判断することができる。着信側通信端末２の加入者が、この電話呼５２の呼び出しに応答すると、通信端末２から電話交換機４１に対してＣＯＮＮ信号５２が、電話交換機４１から電話交換機４２に対してＡＮＭ信号５２が、電話交換機４２から電話呼接続制御装置７に対してＣＯＮＮ信号５２が送信される。これによって、電話呼接続制御装置７が発信側となり通信端末２が着信側となる電話呼５２の通話路５２が確立される。
【００４５】
電話呼５１の通話路５１と、電話呼５２の通話路５２が確立したことを意味するＣＯＮＮ信号５１およびＣＯＮＮ信号５２を受信すると、電話呼接続制御装置７の電話交換機能７２は、電話呼５１の通話路５１と、電話呼５２の通話路５２とを通話路５３によって相互に接続する。このため、発信側通信端末１と着信側通信端末２との間に通話路５１，通話路５３および通話路５２を介した通話路が確立される。すなわち、発信側通信端末１は着信側通信端末２との間で電話呼接続の通話路が確立される。
【００４６】
ここで、電話呼５１および電話呼５２は電話呼接続制御装置７から電話交換機４２に対して固定電話機の加入者線を介して発呼されている。電話呼５１および電話呼５２は、仮想移動体通信事業者の通信サービスを提供する電話呼接続制御装置から電話交換機４２を
介して、仮想移動体通信事業者に加入する通信端末１および固定電話網の通信端末２に接続する電話呼である。電話呼５１および電話呼５２は、仮想移動体通信事業者と電話交換機４２の通信事業者との間で接続される事業者間の接続であり、事業者間接続料金が適用される電話呼であり、一般の加入者が移動通信端末に電話呼接続する場合の電話料金より低い電話料金が設定される。このことから、本発明の実施形態１による電話呼接続システムによれば、既存の移動体通信事業者が提供する電話サービスとは異なる通信サービスを提供可能となる。
【００４７】
（本発明の実施形態２）
続いて、通信端末２から通信端末１へ電話呼接続する実施形態２を説明する。本実施形態２では、電話呼８１による電話呼接続と電話呼８２による電話呼接続とがある。
【００４８】
電話呼８１による電話呼接続は、通信端末２から通信端末１の電話番号Ａ（０９０−ＡＡＡＡ−ａａａａ）をダイヤルした場合の電話呼接続である。電話交換機４１はダイヤルされた着信側電話番号Ａ（０９０−ＡＡＡＡ−ａａａａ）を受信すると、移動体通信網の加入者の電話番号であると判断して、移動体通信網の電話交換機３１に電話呼接続の接続要求であるＩＡＭ信号を送信し、電話交換機３１から通信端末１にＳＥＴＵＰ信号が送信されて、通信端末１に電話呼着信があることを通知する。このようにして、通信端末２から通信端末１への電話呼接続が行われる。
【００４９】
電話呼８２による電話呼接続は、通信端末２から電話呼接続制御装置７の通信端末１の電話番号Ａ（０９０−ＡＡＡＡ−ａａａａ）と対応付けられた電話番号Ｃ（０３−ＣＣＣＣ−ｃｃｃｃ）をダイヤルした場合の電話呼接続である。電話交換機４１はダイヤルされた着信側電話番号Ｃ（０３−ＣＣＣＣ−ｃｃｃｃ）を受信すると、電話交換機４２に加入者登録されている電話番号であると判断して、電話交換機４２に電話呼接続の接続要求であるＩＡＭ信号を送信する。電話交換機４２では着信側電話番号Ｃ（０３−ＣＣＣＣ−ｃｃｃｃ）と対応付けられた移動通信端末の電話番号Ａ（０９０−ＡＡＡＡ−ａａａａ）へ着信しようとする電話呼接続要求であると判断して、電話交換機４２から移動体通信網の電話交換機３１に送信するＩＡＭ信号の着信側通信端末の電話番号をＡ（０９０−ＡＡＡＡ−ａａａａ）とするＩＡＭ信号を送信する。
【００５０】
このように、電話呼接続８２では電話番号Ｃ（０３−ＣＣＣＣ−ｃｃｃｃ）へ着信する電話呼が、電話交換機４２において、電話番号Ａ（０９０−ＡＡＡＡ−ａａａａ）の移動体通信端末への電話呼として電話呼接続が行われる。すなわち、電話呼８２において通信端末２から電話番号Ｃ（０３−ＣＣＣＣ−ｃｃｃｃ）までの接続は固定電話端末から固定電話端末への電話呼と同等であり、電話交換機４２から通信端末１までの接続は、仮想移動体通信事業者の事業者間の接続料金が適用される電話呼接続となる。このため、本発明の実施形態２による電話呼接続システムによれば、既存の移動体通信事業者が提供する電話サービスとは異なる通信サービスを提供可能となる。
【００５１】
なお、この電話番号Ｃ（０３−ＣＣＣＣ−ｃｃｃｃ）と通信端末１との電話番号Ａ（０９０−ＡＡＡＡ−ａａａａ）とが１対１で対応付けて管理されることも、１つの電話番号Ｃと複数個の移動通信端末の電話番号とが対応付けて管理されることもある。電話呼８２において、電話番号Ｃへ着信する電話呼を電話番号Ａの通信端末１に接続する通信サービスは、電話番号Ｃと電話番号Ａとが１対１に対応付けて管理される場合である。１つの電話番号Ｃと複数個の移動通信端末の電話番号とが対応付けて管理される場合には電話呼８２の通信サービスは提供されないことになる。
【００５２】
以上の、本発明の電話呼接続の実施形態１および実施形態２の説明において、通信端末２は固定電話網の加入者端末であるとして説明したが、通信端末２は固定電話網の加入者
端末に限定されるものではなく、移動通信端末であっても良い。通信端末２が移動体通信端末である場合には、図３において通信端末を収容する電話交換機が移動体通信網の電話交換機となる点を除いて、信号シーケンスは、実施形態１および実施形態２で説明した信号シーケンスと同じである。なお、通信端末２が移動体通信端末である場合であっても、図３に図示した電話呼５１と電話呼５２を電話呼５３で接続することによって、通信端末１と通信端末２との間の通話路が確立される。この場合においても、電話呼５１および電話呼５２は事業者間の接続料金が適用される。このことから、既存の移動体通信事業者が移動通信端末から移動通信端末に電話呼接続する場合の電話料金とは異なる電話料金での通信サービスを提供することが可能となる。
【００５３】
また、実施形態１および実施形態２における電話呼の通話路の確立動作を説明したが、通信端末１と通信端末２との間の通話路は、通信端末１または通信端末２が切断動作を開始することで切断される。例えば、通信端末２が受話器をオンフックする切断動作を行うと、切断信号を意味するＤＩＳＣ信号が交換機に送信されることで、各交換機の間、および通信端末１に対して通話路の切断が行われる。
【００５４】
以上の実施形態１および実施形態２の説明において、通信端末と電話交換機の加入者線における信号をＴＴＣ標準のデジタル加入者線信号方式（ＪＴ−Ｑ．９３１、他）で規定される信号名（例えば、ＳＥＴＵＰ信号、他）を用いて説明し、電話交換機間の信号を共通線信号方式（ＪＴ−Ｑ．７６１、他）で規定される信号名（例えば、ＩＡＭ信号、他）を用いて説明したが、本発明を実現するために使用される信号方式は、これらの信号方式に限定されるものではない。
【符号の説明】
【００５５】
１                  発信側通信端末
２                  着信側通信端末
３                  移動体通信網
３１                電話交換機
４                  固定電話網
４１                電話交換機
４２                電話交換機
５                  電話呼の通話路
５１                電話呼
５２                電話呼
５３                電話呼
６                  インターネット
７                  電話呼接続制御装置
７１                サーバ機能
７２                電話交換機能
８１                電話呼
８２                電話呼
【図１】
2017085503.tif 000003
【図２】
2017085503.tif 000004
【図３】
2017085503.tif 000005
【図４】
2017085503.tif 000006
【図５】
2017085503.tif 000007
【図６】
2017085503.tif 000008